(57)【要約】【課題】造花先端の香りを蒸発発散させる香水吸収体に、常時一定用量の香水を供給し蓄え、長期にわたって安定した香りを楽しめる造花を提供する。【解決手段】本発明では毛細管の数で香水流量を調節し、香水容器を密封して飽和蒸気圧を利用し２つの弁によって容器内の気圧を外気圧より少し高い一定圧内に保つ事によって、香水の花状飾り部材（毛細管先端部分）への流出を促進する。花状飾り部材（毛細管先端部分）にはスポンジ状吸収体が取り付けられており、スポンジ状吸収体は流出した香水を吸収し蓄え、その吸収した香水の重量によって毛細管先端に圧をかけて余分な香水の流出を止める働きをする。この１連の仕組みにより花上飾り部材に常時一定量の香水を確保でき、安定した芳香が得られる。【選択図】図１
2005133218.tif 000002
【特許請求の範囲】
【請求項１】
香水の容器を密閉しその容器に２つの弁を付け、この容器に毛細管を芯にした軸状毛細管部材を差し込みこの毛細管部材の先端部分にスポンジ状吸収体を持つ花飾り部材をもっている造花にあって、毛細管現象による香水の上昇移動に加え、飽和蒸気圧を利用し、この香水の容器内の２つの弁（香水容器内の内圧が低くなった時に外気を取り入れる弁と香水容器内の内圧が高くなり過ぎた時圧を逃がす弁）によって、容器内の内圧を、容器外の外気圧より少し高い一定の圧力内に保つことによって毛細管を通る香水の量を増加させる。また、毛細管の先端には、花飾り部材のスポンジ状吸収体を着け香水を吸収させ蒸発を促進させると供に流出する香水量が多くなり余分の香水がスポンジ状吸収体に溜まった時には、その溜まった香水の重量圧により、香水の流出が止まる。この一連の仕組みによって十分な香水量を花飾り部材（毛細管先端部分）に上昇移動させ溜め、安定した芳香を得ることを特徴とした芳香付き造花。
【請求項２】
毛細管を複数にすることによって、この一連の仕組みが複数になり、そのことにより香水の流出量の調節が容易になり安定し、安定した香りを長期間にわたって供給できる請求項１記載の芳香付き造花
【発明の詳細な説明】
【技術分野】
【０００１】
本発明は、芳香剤を拡散させる造花に関し、自然の力を利用して安定した香りを長期間にわたって楽しめるようにくふうをした芳香付き造花に関する。
【背景技術】
【０００２】
従来の香り付き造花は液状の芳香剤を密封する容器と、芳香剤の液中に下端を浸漬する茎状毛細管部材と、該茎状毛細管部材の上方に取り付けられた花上飾り部材とを備えていた。そして芳香剤容器に充填された液状の芳香剤を茎状毛細管部材に通じて浸透圧現象により上昇移動させて芳香を花状飾り部材から外部に発散するようにして、本当の花のように花から芳香を楽しむことができるものがある。（例えば、特許文献１参照。）。
また、自動車に据え付けの花挿しを利用し、液状の芳香剤を密封する容器を花挿しに固定することができる。そして、使用者が調節することによって、花丈が高くても十分な芳香剤量を確保できると共に芳香量を調節できるものがある。（例えば、特許文献２参照。）。
【特許文献１】特開２０００−１６０４１９
【特許文献２】特開２００１−１４０１２０
【発明の開示】
【発明が解決しようとする課題】
【０００３】
以上述べた従来の方法では、送られる香水量が不足する時があり、また安定した芳香を楽しむには使用者がそのつど調節する必要があった。
【０００４】
本発明は、従来の方法では不足する流出する香水量を増やし、自動的にその流量を調節し安定した芳香を確保することを特徴とする。
【課題を解決するための手段】
【０００５】
本発明は上記目的を達成するために茎状毛細管部材の毛細管を複数にし、香水の容器を密封する。そして、香水容器内の内圧が低くなった時に外気を取り入れる弁と香水容器内の内圧が高くなり過ぎた時圧を逃がす弁を付け、容器内の気圧を飽和蒸気圧利用により、一定圧力内に保ち、香水の流出力を高くするものである。
【０００６】
また、毛細管先端に取り付けたスポンジ状の吸収体は、香水を吸収し蒸発を促進すると供に流出する香水量が多くなり余分の香水がスポンジ状吸収体に溜まった時には、その溜まった香水の重量圧により、香水の流出が止まる働きもする。
【発明の効果】
【０００７】
上述したように本発明では、香水容器内の圧を外気圧より高く保つことにより香水の流出力を高め、スポンジ状吸収体によって香水の流出量を自動的に調節できる。又毛細管を複数にすることにより香水の流出量の調整が容易になると有利点がある
【発明を実施するための最良の形態】
【０００８】
香水容器を密閉し、弁を取り付け、容器内の飽和蒸気圧を、香水容器に挿入された毛細管先端のスポンジ状吸収体に溜まった香水の水圧で香水の流出が止まる最大圧以下になるようにする。この事によって、スポンジ状吸収体に一定の香水を保ち安定した香りを保つ。
【実施例１】
【０００９】
図１においては、１は香水を内蔵する容器で茎状毛細管部材が挿入されており、密閉されている。また用途の違う２個の弁を持っている、容器内の圧が低下したときに外気を取り入れる弁（図２）と、容器内の圧が一定以上に高くなったときに外に逃がす弁（図３）である。２は茎状毛細管部材であり、毛細管の束が入っている（図４）。３は花状飾り部材であり中央に毛細管の先端が出ておりそこにスポンジ状の吸収体（図５）が取り付けてある。
【００１０】
図２は弁の説明である。香水容器内の側壁上部に取り付けてあり、内部の圧が下がったとき（内部の温度が下がって蒸気圧が下がった時など）に外気が入るようになっている。４、は膜状弁を指し、（あ）の部分図では間隔が空いているように見えるが、通常は密着している。（い）は接着面を示している。香水容器内の内圧が低下した時には、接着されていない（う）の部分から外気が入って来る様に成っている。
【００１１】
図３はもう１つの弁である。５（蓋の様な弁）は、香水容器上部外に取り付けてあり、容器内の圧力が一定以上に高くなった時に圧を逃がすようになっている。蓋の様な弁で通常は弁自体の自重で閉まっている（３a図）。香水容器内の飽和蒸気圧が高くなった時弁が押し上げられて（え）の様に圧が逃げるようになっている（3b図）。弁の重量を調節することによって香水容器内の内圧を調節できる。
【００１２】
図４は茎状毛細管部材で、軸は毛細管７を束にして作ってある。毛細管を複数にすることによって香水液量の調節が容易になる。６は茎状の外皮材である。
【００１３】
図５は香水吸収体で理解しやすいように毛細管は一本にしてある。中央にスポンジ状の吸収体８を持つこの吸収体は、香水１０の蒸発を促進する。香水容器内の蒸気圧が０の時は毛細管現象のみの力で(５a図 )となる。香水容器内が飽和蒸気圧によって高くなり香水の流出量が多くなればスポンジ状吸収体下部に香水が溜まる（５b図）。溜まった香水の液量が多くなった時に液圧（お）によって香水の流出をとめる（５c図）。また、スポンジ状吸収体は半透膜９で覆われており香水は蒸発するがこぼれない様になっている。この一連の仕組みにより、（５b図）と（５c図）の間に状態が保たれ安定した芳香が保たれる。
【産業上の利用可能性】
【００１４】
造花種類其々の花の香りのみならず、癒しの香りもあり香りへの関心は高まっている。また、高齢化も進み手の掛からない造花は、香りと言う付加価値を付けることにより更に需要がある。手の掛からない、連続して長期にわたり安定した液量の供給ができるこの一連の仕組は他にも利用可能と思われる。
【図面の簡単な説明】
【００１５】
【図１】本発明の実施形態を示す全体図
【図２】香水容器側面上部に取り付けてある外気取り込み用の弁の１例、膜状弁の図
【図３】香水容器上部に取り付けてある圧力調節用の弁の１例、蓋状弁の図
【図４】複数の毛細管を使用したときの茎上毛細管部材のイメージ図
【図５】毛細管先端に取り付けたスポンジ状吸収体の図
【符号の説明】
【００１６】
１    香水容器
２    茎状毛細管部材
３    花上飾り部材
４    膜状弁
５    蓋状弁
６    茎状外皮部材
７    毛細管
８    スポンジ状吸収体
９    半透膜
１０  香水
【図１】
2005133218.tif 000003
【図２】
2005133218.tif 000004
【図３】
2005133218.tif 000005
【図４】
2005133218.tif 000006
【図５】
2005133218.tif 000007